(57)【要約】【課題】アプリケーションの実行に従って当該装置において再生されるデータをＷｉ−Ｆｉ（登録商標）による無線ＬＡＮなどを利用して外部出力する際に、出力不可のデータの送信を禁止することのできるデータ出力装置を提供する。【解決手段】データ出力装置では、実行するアプリケーションが当該アプリケーションの実行に従ってデータ出力装置において再生されるデータまたはアプリケーション画面のデータの送信を禁止するものであるか否かを判定し（Ｓ１０３）、そうである場合には再生されているデータまたはアプリケーション画面のデータを予め記憶している代替データに切り替えて出力する（Ｓ１０５〜Ｓ１１５）。【選択図】図４
2014002581.tif 000002
【特許請求の範囲】
【請求項１】
外部装置にデータを出力可能なデータ出力装置であって、
指定されたアプリケーションを実行するための実行手段と、
前記アプリケーションの実行に従ってデータを再生するための再生手段と、
前記再生手段で再生しているデータまたはアプリケーション画面のデータを前記外部装置に送信するための送信手段と、
前記送信手段での前記データの送信を制御するための制御手段とを備え、
前記制御手段は、前記実行手段で実行するアプリケーションに応じて前記データの送信が禁止されているか否かを判定するための判定手段を含み、
前記制御手段は、前記アプリケーションが前記データの送信を禁止するものである場合には、前記データに替えて予め記憶している代替データを前記外部装置に送信するよう制御する、データ出力装置。
【請求項２】
前記再生手段で再生しているデータまたはアプリケーション画面のデータから送信用データを生成する処理を行なうための処理手段をさらに備え、
前記処理手段は、前記外部装置に前記代替データを送信する場合には、前記再生手段で再生しているデータまたはアプリケーション画面のデータを前記代替データに変更して前記送信用データを生成する処理を行なう、請求項１に記載のデータ出力装置。
【請求項３】
前記再生手段で再生するデータは画像データと音声データとを含み、
前記処理手段は、前記再生手段で再生している画像データに対する処理と前記再生手段で再生している音声データに対する処理とを行ない、前記外部装置に前記代替データを送信する場合には、前記画像データと前記音声データとのうち、送信を禁止されているデータを前記代替データに変更して各々を暗号化した上で多重化して前記送信用データを生成する、請求項２に記載のデータ出力装置。
【請求項４】
アプリケーションごとに、前記再生手段で再生するデータまたはアプリケーション画面のデータの送信を禁止するか否かを記憶するための記憶手段をさらに備える、請求項１〜３のいずれかに記載のデータ出力装置。
【請求項５】
外部装置に対してデータを出力可能なデータ出力装置の制御方法であって、
指定されたアプリケーションを実行するステップと、
前記アプリケーションの実行に従ってデータを再生するステップと、
前記アプリケーションが前記再生するステップで再生されるデータまたはアプリケーション画面のデータの送信を禁止するものであるか否かを判定するステップと、
前記判定するステップにおいて前記アプリケーションが前記データの送信を禁止するものでないと判定された場合には前記再生するステップで再生されているデータまたはアプリケーション画面のデータを前記外部装置に対して送信し、前記データの送信を禁止するものと判定された場合には、前記再生するステップで再生されているデータまたはアプリケーション画面のデータを予め記憶している代替データに切り替えて前記外部装置に対して送信するステップとを備える、制御方法。
【請求項６】
データ出力装置に外部装置に対してアプリケーションの実行に従って再生されるデータを出力する処理を行なわせるための制御プログラムであって、
前記アプリケーションを実行するステップと、
前記アプリケーションの実行に従ってデータを再生するステップと、
前記アプリケーションが前記再生するステップで再生されるデータまたはアプリケーション画面のデータの送信を禁止するものであるか否かを判定するステップと、
前記判定するステップにおいて前記アプリケーションが前記データの送信を禁止するものでないと判定された場合には前記再生するステップで再生されているデータまたはアプリケーション画面のデータを前記外部装置に対して送信し、前記データの送信を禁止するものと判定された場合には、前記再生するステップで再生されているデータまたはアプリケーション画面のデータを予め記憶している代替データに切り替えて前記外部装置に対して送信するステップとを前記データ出力装置に実行させる、制御プログラム。
【発明の詳細な説明】
【技術分野】
【０００１】
この発明はデータ出力装置、制御方法、および制御プログラムに関し、特に、外部装置にデータを出力するデータ出力装置、制御方法、および制御プログラムに関する。
【背景技術】
【０００２】
データ出力装置としての携帯端末においてアプリケーションを実行することで再生された画像および／または音声などのデータをテレビジョン受像機（以下、テレビ）やプロジェクタなどの外部装置に出力する方法として、携帯端末を外部装置に有線接続し、ＨＤＭＩ（High-Definition Multimedia Interface）やＭＨＬ（Mobile High-definition Link）などのデジタルインタフェースを利用して出力する方法が挙げられる。
【０００３】
また、Ｗｉ−Ｆｉ（登録商標）と称される無線ＬＡＮ（Local Area Network）を利用した無線通信を行なってデータを外部装置に対して出力する方法もある。
【０００４】
外部装置にデータを出力する際には、ＨＤＭＩやＭＨＬなどのデジタルインタフェースではＨＤＣＰ（High-bandwidth Digital Content Protection system）を利用して暗号化したデータが外部装置に出力され、対象のデータが出力不可のものである場合には切断動作が行なわれていた。これにより、出力不可の条件が付されているデータの出力を禁止することができる。
【０００５】
この技術として、たとえば、特開２０１０−７９００７号公報（以下、特許文献１）は、画像データと出力禁止情報とを紐付け（関連付け）ておき、画像データを無線通信を介してプロジェクタに出力する際に、当該画像データに禁止条件が付されている場合には代替画像を出力する技術を開示している。
【先行技術文献】
【特許文献】
【０００６】
【特許文献１】特開２０１０−７９００７号公報
【特許文献２】特表２０１２−５０４３７９号公報
【発明の概要】
【発明が解決しようとする課題】
【０００７】
予め起動しているコンテンツにおいてプラットフォームの仕組みやデータ形式などによって画像または音声データなどのコンテンツと出力禁止情報とを関連付けられて管理している場合には特許文献１に開示された技術を利用することで、出力が禁止されているコンテンツデータの出力を防止することができる。
【０００８】
しかしながら、市販されているアプリケーションなど、実行しているアプリケーションにおいて再生された画像および／または音声などのデータに出力禁止が設定されていない場合には、特許文献１の技術ではその出力が禁止されないという問題がある。
【０００９】
また、Ｗｉ−Ｆｉ（登録商標）による無線ＬＡＮを利用してパーソナルコンピュータ（以下、ＰＣ）などでアプリケーションを実行することで再生された画像や音声などのデータをそのまま、表示装置などの外部装置に出力するミラーリングと呼ばれる出力の場合には、次のような動作が行なわれる：
１）Ｗｉ−Ｆｉ（登録商標）による無線ＬＡＮを接続する、
２）ディスプレイに表示する画像データをキャプチャし、Ｈ．２６４符号化技術によって圧縮された画像データをエンコード（暗号化）し、送信する画像データを生成する、
３）スピーカに出力する音声データをキャプチャし、ＬＰＣＭ（Linear Pulse Code Modulation）方式でデジタル化して送信する音声データを生成する、
４）上記２）および３）で生成された画像データと音声データとを多重化してＴＳ（Transport Stream）データにし、表示装置等に接続された外部機器に対して出力する。
【００１０】
このため、再生されているデータに出力が禁止されているデータが含まれている場合には再生されている画像データや音声データは出力が禁止されているデータと禁止されていないデータとが合成（多重化）されたデータとなるため、実行しているアプリケーションにおいて出力禁止情報との関連付けの管理が難しくなり、特許文献１の技術をそのまま応用しても適切に出力が禁止されなくなる。
【００１１】
本発明はこのような問題に鑑みてなされたものであって、アプリケーションの実行に従って当該装置において再生されるデータをＷｉ−Ｆｉ（登録商標）による無線ＬＡＮなどを利用して外部出力する際に、出力不可のデータの送信を禁止することのできるデータ出力装置、制御方法、および制御プログラムを提供することを目的としている。
【課題を解決するための手段】
【００１２】
上記目的を達成するために、本発明のある局面に従うと、データ出力装置は外部装置にデータを出力可能なデータ出力装置であって、指定されたアプリケーションを実行するための実行手段と、アプリケーションの実行に従ってデータを再生するための再生手段と、再生手段で再生しているデータまたはアプリケーション画面のデータを外部装置に送信するための送信手段と、送信手段でのデータの送信を制御するための制御手段とを備える。制御手段は、実行手段で実行するアプリケーションに応じてデータの送信が禁止されているか否かを判定するための判定手段を含み、制御手段は、アプリケーションがデータの送信を禁止するものである場合には、データに替えて予め記憶している代替データを外部装置に送信するよう制御する。
【００１３】
好ましくは、データ出力装置は再生手段で再生しているデータまたはアプリケーション画面のデータから送信用データを生成する処理を行なうための処理手段をさらに備え、処理手段は、外部装置に代替データを送信する場合には、再生手段で再生しているデータまたはアプリケーション画面のデータを代替データに変更して送信用データを生成する処理を行なう。
【００１４】
より好ましくは、再生手段で再生するデータは画像データと音声データとを含み、処理手段は、再生手段で再生している画像データに対する処理と再生手段で再生している音声データに対する処理とを行ない、外部装置に代替データを送信する場合には、画像データと音声データとのうち、送信を禁止されているデータを代替データに変更して各々を暗号化した上で多重化して送信用データを生成する。
【００１５】
好ましくは、データ出力装置はアプリケーションごとに、再生手段で再生するデータまたはアプリケーション画面のデータの送信を禁止するか否かを記憶するための記憶手段をさらに備える。
【００１６】
本発明の他の局面に従うと、制御方法は外部装置に対してデータを出力可能なデータ出力装置の制御方法であって、指定されたアプリケーションを実行するステップと、アプリケーションの実行に従ってデータを再生するステップと、アプリケーションが再生するステップで再生されるデータまたはアプリケーション画面のデータの送信を禁止するものであるか否かを判定するステップと、判定するステップにおいてアプリケーションがデータの送信を禁止するものでないと判定された場合には再生するステップで再生されているデータまたはアプリケーション画面のデータを外部装置に対して送信し、データの送信を禁止するものと判定された場合には、再生するステップで再生されているデータまたはアプリケーション画面のデータを予め記憶している代替データに切り替えて外部装置に対して送信するステップとを備える。
【００１７】
本発明のさらに他の局面に従うと、制御プログラムはデータ出力装置に外部装置に対してアプリケーションの実行に従って再生されるデータを出力する処理を行なわせるための制御プログラムであって、アプリケーションを実行するステップと、アプリケーションの実行に従ってデータを再生するステップと、アプリケーションが再生するステップで再生されるデータまたはアプリケーション画面のデータの送信を禁止するものであるか否かを判定するステップと、判定するステップにおいてアプリケーションがデータの送信を禁止するものでないと判定された場合には再生するステップで再生されているデータまたはアプリケーション画面のデータを外部装置に対して送信し、データの送信を禁止するものと判定された場合には、再生するステップで再生されているデータまたはアプリケーション画面のデータを予め記憶している代替データに切り替えて外部装置に対して送信するステップとをデータ出力装置に実行させる。
【発明の効果】
【００１８】
この発明によると、アプリケーションの実行に従って当該装置において再生されるデータまたはアプリケーション画面のデータをＷｉ−Ｆｉ（登録商標）による無線ＬＡＮなどを利用して外部出力する際に、実行しているアプリケーションにおいてデータの出力の許可、禁止が管理されていない場合であっても、出力不可のデータの送信を禁止することができる。
【図面の簡単な説明】
【００１９】
【図１】実施の形態にかかるデータ出力装置システムの構成の具体例を示す図である。
【図２】データ出力装置システムに含まれるデータ出力装置の装置構成の具体例を示すブロック図である。
【図３】データ出力装置の機能構成の具体例を示すブロック図である。
【図４】データ出力装置での動作の流れを表わすフローチャートである。
【発明を実施するための形態】
【００２０】
以下に、図面を参照しつつ、本発明の実施の形態について説明する。以下の説明では、同一の部品および構成要素には同一の符号を付してある。それらの名称および機能も同じである。
【００２１】
＜システム構成＞
図１は、本実施の形態にかかるデータ出力装置システムの構成の具体例を示す図である。
【００２２】
図１を参照して、本実施の形態にかかるデータ出力装置システムは、データ出力装置１００とその外部装置である表示装置２００とを含み、これらの間でＷｉ−Ｆｉ（登録商標）と称される無線ＬＡＮ（Local Area Network）を利用した通信が行なわれる。
【００２３】
データ出力装置１００は指定されたアプリケーションを実行し、その実行によって再生された画像や音声などのデータを外部装置である表示装置２００に出力可能である。
【００２４】
データ出力装置１００としては、たとえば携帯電話機やノート型パソコンやＤＶＤ（Digital Versatile Disk）プレーヤ、ゲーム機、デジタルカメラ、などが該当する。
【００２５】
＜装置構成＞
図２は、データ出力装置１００の装置構成の具体例を示すブロック図である。
【００２６】
図２を参照して、データ出力装置１００は、全体を制御するための演算装置であるＣＰＵ（Central Processing Unit）１０と、ＣＰＵ１０で実行されるプログラム（アプリケーション）などを記憶するためのＲＯＭ（Read Only Memory）１１と、ＣＰＵ１０でプログラムを実行する際の作業領域として機能するためのＲＡＭ（Random Access Memory）１２と、画像データや音声データなどを記憶するためメモリ１３と、当該データ出力装置１００に対する操作入力を受け付けるための操作部１４と、画像出力部としてのディスプレイ１５と、音声出力部としてのスピーカ１６と、外部装置である表示装置２００との間でＷｉ−Ｆｉ（登録商標）による無線ＬＡＮを利用した無線通信を行なうための通信部１７とを含む。
【００２７】
上の例は一例であって、たとえば、操作部１４とディスプレイ１５とが一体となってタッチパネルで構成されていてもよいし、スピーカ１６に替えて（または加えて）イヤフォン用のインタフェースを含み、イヤフォンに音声出力するようにしてもよい。
【００２８】
＜動作概要＞
本実施の形態にかかるデータ出力装置１００では、アプリケーションの実行によって当該データ出力装置１００で出力（再生）される画像や音声などのデータまたはアプリケーションの実行画面をキャプチャして多重化し、外部装置である表示装置２００に対して出力（送信）する。以降の説明において、外部装置に送信するデータを再生される画像や音声などのデータであるものとするが、そのデータには、上述の、データ出力装置１００に表示されるアプリケーションの実行画面のデータも含まれるものとする。
【００２９】
データ出力装置１００では、アプリケーションごとに、その実行によって当該データ出力装置１００において再生される画像や音声などのデータを外部装置に出力（送信）することの可否を管理しておく。そして、実行するアプリケーションが画像や音声などのデータの出力を許可しないアプリケーションである場合には、該アプリケーションの実行によって表示される画像データおよび出力される音声データをそれぞれ代替のデータに変更し、それを多重化して表示装置２００に対して出力する。
【００３０】
＜機能構成＞
図３は、上記動作を行なうためのデータ出力装置１００の機能構成の具体例を示すブロック図である。図３の各機能は、データ出力装置１００のＣＰＵ１０がＲＯＭ１１に記憶されているプログラムを読み出してＲＡＭ１２上に展開しつつ実行することで、主にＣＰＵ１０に形成されるものである。しかしながら、少なくとも一部が、図２に表わされたハードウェア構成によって実現されてもよい。
【００３１】
図３を参照して、メモリ１３には、アプリケーションごとに実行によって当該データ出力装置１００において再生される画像や音声などのデータの外部装置への出力（送信）を許可するか禁止するかを規定した情報（以下、規定リスト）を記憶するための記憶領域である規定リスト記憶部１３１が設けられる。規定リストは、ホワイトリスト形式でもブラックリスト形式でも構わない。つまり、上記データの出力を許可するアプリケーションを規定するものであってもよいし、上記データの出力を禁止するアプリケーションを規定するものであってもよい。また、その形式はリスト形式に限定されるものではない。また、上記データが画像データおよび音声データである場合、規定リストによって一方のデータの出力のみが禁止され、他方のデータの出力は許可されていてもよい。つまり、一部のデータの出力のみが禁止されていてもよい。規定リストは予め規定リスト記憶部１３１に記憶されているものであってもよいし、所定の操作によって新規に登録したり変更したりすることができてもよい。
【００３２】
さらに図３を参照して、ＣＰＵ１０は、ユーザ操作に従った操作部１４からの操作信号または図示しない他の装置から受け取った操作信号に従って指定されたアプリケーションを実行するためのアプリケーション実行部１０２と、アプリケーション実行部１０２でのアプリケーションの起動や終了、規定リストを管理するためのアプリケーション管理部１０１と、実行されるアプリケーションからの指示に従って複数の音声データを合成し、スピーカ１６に出力するための音声合成部１０３と、実行されるアプリケーションからの指示に従って複数の画像データを合成し、ディスプレイ１５に出力するための画像合成部１０４と、ユーザ操作に従った操作部１４からの操作信号または図示しない他の装置から受け取った操作信号に従って表示装置２００への画像データおよび音声データの出力を制御するための外部出力制御部１０５と、外部出力制御部１０５からの指示に従って音声合成部１０３から音声データを受け取り、音声データの圧縮や暗号化処理を行なうための音声処理部１０６と、外部出力制御部１０５からの指示に従って画像合成部１０４から画像データを受け取り、画像データの圧縮や暗号化処理を行なうための画像処理部１０７と、外部出力制御部１０５からの指示に従って音声処理部１０６で処理された音声データおよび画像処理部１０７で処理された画像データ等を多重化するための多重化部１０８と、多重化されたデータを表示装置２００に送信するためのデータ送信部１０９とを含む。
【００３３】
外部出力制御部１０５は、さらに、規定リストを参照して、実行するアプリケーションが画像データおよび音声データの出力を許可するものであるか禁止するものであるかを判定するための判定部１０５１を含む。
【００３４】
判定部１０５１は、アプリケーション管理部１０１がアプリケーション実行部１０２においてアプリケーションが起動されたことを検出すると、規定リストを参照して、そのアプリケーションがデータの出力を許可するものであるか禁止するものであるかを判定する。その結果、データの出力を禁止するものであると判定された場合には、音声処理部１０６、画像処理部１０７、およびデータ送信部１０９に制御信号を出力する。
【００３５】
音声処理部１０６および画像処理部１０７は、予め代替データとする音声データおよび画像データを記憶しておき、外部出力制御部１０５からの制御信号に従って対象とする音声データおよび画像データを代替データに変更して圧縮や暗号化処理を行なう。規定リストにおいて一方のデータの出力のみが禁止されている場合には、音声処理部１０６および画像処理部１０７のうちの該当する側の処理部が再生するデータを代替データに変更して圧縮や暗号化処理を行なうことになる。
【００３６】
＜動作フロー＞
図４は、データ出力装置１００での動作の流れを表わすフローチャートである。図４のフローチャートに表わされた動作は、データ出力装置１００においてアプリケーションを実行し、その実行によって当該データ出力装置１００に再生される画像データおよび音声データを同時に外部装置である表示装置２００に送信する、いわゆるミラーリングと呼ばれるデータ出力を指示された場合の動作である。この動作は、データ出力装置１００のＣＰＵ１０がＲＯＭ１１に記憶されているプログラムを読み出してＲＡＭ１２上に展開しつつ実行し、図３の各機能を発揮させることによって実現される。
【００３７】
図４を参照して、ＣＰＵ１０はアプリケーションの起動が指示されたか否かを監視する（ステップＳ１０１）。アプリケーションが起動したことが検出されると（ステップＳ１０１でＹＥＳ）、ＣＰＵ１０は、規定リストを参照して、起動したアプリケーションがデータの出力を禁止するものであるか否かを判定する（ステップＳ１０３）。その結果、データの出力を禁止するものである場合には（ステップＳ１０３でＹＥＳ）ステップＳ１０５〜Ｓ１１５の動作を行ない、データの出力を禁止しないものである場合には（ステップＳ１０３でＮＯ）ステップＳ１１９〜Ｓ１２９の動作を行なう。
【００３８】
すなわち、ステップＳ１０５に分岐すると、ＣＰＵ１０はアプリケーションの実行によって現在再生中の画像データを予め記憶している代替データに変更する。また、ステップＳ１０７でアプリケーションの実行によって現在再生中の音声データも予め記憶している代替データに変更する。そして、これらデータに対してそれぞれ圧縮、暗号化処理を施し（ステップＳ１０９、Ｓ１１１）、処理後のデータを多重化して（ステップＳ１１３）、多重化されたデータを表示装置２００に対して送信する（ステップＳ１１５）。
【００３９】
上記ステップＳ１０５〜Ｓ１１５の動作はステップＳ１０１で起動が検出されたアプリケーションが終了するまで繰り返され（ステップＳ１１７でＮＯ）、アプリケーションが終了すると（ステップＳ１１７でＹＥＳ）、動作を最初に戻す。
【００４０】
なお、ステップＳ１１９〜Ｓ１２９の動作は、通常のミラーリング時の動作である。すなわち、ＣＰＵ１０はアプリケーションの実行によって再生中の画像データおよび音声データをキャプチャし（ステップＳ１１９、Ｓ１２１）、それぞれデータを圧縮、暗号化処理して（ステップＳ１２３、Ｓ１２５）、処理後のデータを多重化し（ステップＳ１２７）、多重化されたデータを表示装置２００に対して送信する（ステップＳ１２９）。
【００４１】
上記ステップＳ１１９〜Ｓ１２９の動作は、起動したアプリケーションがコンテンツの出力を禁止するものでないとき（ステップＳ１０３でＮＯ）に行なわれる。
【００４２】
＜実施の形態の効果＞
上述のように、本実施の形態にかかるデータ出力装置１００では、アプリケーションの起動、終了に基づいて当該アプリケーションの実行によってデータ出力装置１００で再生される画像や音声のデータの外部装置への出力の許否を制御する。このため、たとえば市販のアプリケーションのように、データごとにその出力の許可／禁止を管理するものでない場合でなくても、出力不可の画像や音声を再生するアプリケーションについて予めデータの出力を禁止しておくことで、そのアプリケーションによって再生される画像や音声が外部装置に出力されることを禁止することができる。たとえば携帯電話機などの端末装置において家庭内の消費電力を表示させるようなアプリケーションを規定リストにおいてデータの出力を禁止するアプリケーションと規定しておくことで、消費電力などの情報は端末装置においては表示されるものの外部装置に出力することは禁止することができる。
【００４３】
さらに、上述の動作をデータ出力装置１００のＣＰＵ１０に実行させるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００４４】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００４５】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００４６】
提供されるプログラム製品は、ハードディスクなどのプログラム格納部にインストールされて実行される。なお、プログラム製品は、プログラム自体と、プログラムが記録された記録媒体とを含む。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４８】
１０  ＣＰＵ、１１  ＲＯＭ、１２  ＲＡＭ、１３  メモリ、１４  操作部、１５  ディスプレイ、１６  スピーカ、１７  通信部、１００  データ出力装置、１０１  アプリケーション管理部、１０２  アプリケーション実行部、１０３  音声合成部、１０４  画像合成部、１０５  外部出力制御部、１０６  音声処理部、１０７  画像処理部、１０８  多重化部、１０９  データ送信部、１３１  規定リスト記憶部、２００  表示装置、１０５１  判定部。
【図１】
2014002581.tif 000003
【図２】
2014002581.tif 000004
【図３】
2014002581.tif 000005
【図４】
2014002581.tif 000006